(57)【要約】      （修正有）【課題】側溝や用水路に投入した状態で、上に土嚢を載置した場合でも、通水性を確保することができる消防用サクションホースのストレーナ装置を提供する。【解決手段】ベースプレート２とカバー部材３の下部の間に通水用の隙間８を設け、カバー部材３の内部に筒状のストレーナを組み込み、このストレーナの後端にサクションホースの接続部材５を設け、カバー部材３の下縁とベースプレート２の間に、多数の濾過軸９を、通水用の隙間８を所定の間隔で区切る櫛歯状の配置で設けてある。【選択図】図１
0003154954.tif 000002
【実用新案登録請求の範囲】
【請求項１】
ベースプレートの上に下部が開放したカバー部材を、前記ベースプレートの上面とカバー部材の下部の間に通水用の隙間を設けて固定し、前記カバー部材の内部に後端が開放した筒状のストレーナを、ベースプレートの上面と平行する状態でカバー部材の前後方向に沿う配置で組込み、このストレーナの後端にサクションホースの接続部材を、カバー部材の後端から外部に突出するように設け、前記カバー部材の下縁とベースプレートの間に、多数の濾過軸を櫛状の配置で設けた消防用サクションホースのストレーナ装置。
【請求項２】
上記カバー部材は、縦断面下向きＵ字状に形成され、両側の前後に下縁よりも下方に突出するよう設けた脚部の下端をベースプレート上に固定し、この脚部の長さによって前記ベースプレートの上面とカバー部材の下部の間に通水用の隙間を形成し、上記濾過軸は、カバー部材の下縁に一体的に設けられ、ベースプレートの上面とカバー部材の下縁との間に形成された前記通水用の隙間を所定の間隔で区切り、カバー部材の下縁全長に沿って配置されている請求項１に記載の消防用サクションホースのストレーナ装置。
【請求項３】
上記ストレーナは、多孔円筒部の先端が多孔先端壁で閉鎖され、前記多孔円筒部の後端に連成した螺筒にサクションホースの接続部材を螺合接続し、前記螺筒の後端と接続部材に設けたフランジによって、前記カバー部材の後端部内周に設けた後壁を挟むことで、カバー部材に対してストレーナを固定した請求項１又は２に記載の消防用サクションホースのストレーナ装置。
【請求項４】
上記カバー部材の上部外面に提げ手を設けた請求項１乃至３の何れかに記載の消防用サクションホースのストレーナ装置。
【考案の詳細な説明】
【技術分野】
【０００１】
この考案は、消防用サクションホースの吸引側端部に取付け、ゴミや砂利等の不要物が吸込まれないように吸水を濾過するためのストレーナ装置、更に詳しくは、側溝や用水路を流れる水を水源として用いるのに適したストレーナ装置に関する。
【背景技術】
【０００２】
消防用サクションホース先端には、消火用の水源から水を吸引する場合にゴミや砂利等の不要物が吸込まれないようにするため、吸水を濾過するためのストレーナ装置が取付けられている。
【０００３】
従来の一般的なストレーナ装置は、サクションホースの吸引側先端に設けた端部金具に筒状のストレーナをねじ込んで取付け、筒状体の先端が半球状になるよう形成された塵よけ籠を、前記ストレーナに対して外側を覆うように被せ、この塵よけ籠の開口端に取付けた帆布製のカバーをサクションホースに紐で縛り付ける構造になっていた（例えば、特許文献１参照）。
【０００４】
このようなストレーナ装置は、水中に投入することで、塵よけ籠とストレーナがゴミや砂利等の異物の流入を防ぐことになる。
【０００５】
ところで、消防用の水源として、消火栓、河川や湖沼、貯水タンクやプールが近くに存在しない場合、側溝や用水路を流れる水を水源として用いる必要が生じる。
【先行技術文献】
【特許文献】
【０００６】
【特許文献１】実用新案登録第３１４５２１８号公報
【考案の概要】
【考案が解決しようとする課題】
【０００７】
しかしながら、側溝や用水路は、水を円滑に流すために傾斜状に設けられている場合が多く、このため、上記した従来のストレーナ装置を側溝や用水路に投入して塵よけ籠に水流が作用すると、ストレーナ装置は簡単に下流側へ移動することになり、このため、ストレーナ装置の上に土嚢を載置することになるが、水分を含んだ土嚢は重量的に重く、これを塵よけ籠の上に載置すると、塵よけ籠が変形してストレーナに重なり、土嚢で塵よけ籠の外周が覆われることで通水性が阻害され、サクションホースによる吸水効率が低下するという問題が生じる。
【０００８】
そこで、この考案の課題は、側溝や用水路に投入した状態で、上に土嚢を載置した場合でも、通水性を確保することができる消防用サクションホースのストレーナ装置を提供することにある。
【課題を解決するための手段】
【０００９】
上記の課題を解決するため、この考案は、ベースプレートの上に下部が開放したカバー部材を、前記ベースプレートの上面とカバー部材の下部の間に通水用の隙間を設けて固定し、前記カバー部材の内部に後端が開放した筒状のストレーナを、ベースプレートの上面と平行する状態でカバー部材の前後方向に沿う配置で組込み、このストレーナの後端にサクションホースの接続部材を、カバー部材の後端から外部に突出するように設け、前記カバー部材の下縁とベースプレートの間に、多数の濾過軸を櫛状の配置で設けたものである。
【００１０】
上記カバー部材は、縦断面下向きＵ字状に形成され、両側の前後に下縁よりも下方に突出するよう設けた脚部の下端をベースプレート上に固定し、この脚部の長さによって前記ベースプレートの上面とカバー部材の下部の間に通水用の隙間を形成し、上記濾過軸は、カバー部材の下縁に一体的に設けられ、ベースプレートの上面とカバー部材の下縁との間に形成された前記通水用の隙間を所定の間隔で区切り、カバー部材の下縁全長に沿って配置されているようにすることができる。
【００１１】
また、上記ストレーナは、多孔円筒部の先端が多孔先端壁で閉鎖され、前記多孔円筒部の後端に連成した螺筒にサクションホースの接続部材を螺合接続し、前記螺筒の後端と接続部材に設けたフランジによって、前記カバー部材の後端部内周に設けた後壁を挟むことで、カバー部材に対してストレーナを固定した構造とすることができる。
【００１２】
更に、上記カバー部材の上部外面に提げ手を設けることができる。
【００１３】
ここで、上記ベースプレートは、長方形の金属板を用いて形成され、カバー部材は、その長さ方向をベースプレートの長さ方向に沿わせた状態で、両側の前後に設けた脚部をベースプレート上にボルト、ナットで固定され、また、濾過軸は、カバー部材の下縁から一体に下向へ突出する円軸に形成され、脚部をベースプレートに固定すると、その下端がベースプレートに当接する長さを有し、カバー部材に上から加わる荷重を支持する補強材の役目を兼ねている。
【００１４】
上記ストレーナは、合成樹脂の成形品であり、カバー部材の内部に組み込んだ状態で、このカバー部材の内周に設けた複数のリブによって多孔円筒部が保持され、カバー部材の内周面と多孔円筒部の外周面の間に通水用の隙間を形成されている。
【００１５】
また、サクションホースの接続部材は、サクションホースの端部金具を外嵌係合する円筒の先端に、ストレーナの後端に設けた螺筒に螺合するねじ筒を設け、円筒とねじ筒の境界部外周にフランジが設けられ、前記円筒に、サクションホースの端部金具との接続を解くための解除筒を軸方向に移動可能に外嵌した構造になっている。
【考案の効果】
【００１６】
この考案によると、ベースプレートとカバー部材の下縁の間に通水用の隙間を設け、前記カバー部材の下縁とベースプレートの間に、多数の濾過軸を櫛状の配置で設けたので、前記濾過軸は、大きな異物がストレーナに流入するのを阻止すると共に、カバー部材に上部から加わる荷重を支持する補強材となり、カバー部材に土嚢を載置してもカバー部材の変形発生を防ぎ、側溝や用水路を流れる水を支障なく消防の水源として用いることができる。
【００１７】
また、ベースプレートとカバー部材の下縁の間に通水用の隙間を設けたので、側溝や用水路に投入した状態で、カバー部材の上に土嚢を載置しても、通水用の隙間を確保することができ、サクションホースの吸水量低下を防ぐことができる。
【図面の簡単な説明】
【００１８】
【図１】この考案に係る消防用サクションホースのストレーナ装置を示す斜視図
【図２】この考案に係る消防用サクションホースのストレーナ装置の縦断側面図
【図３】この考案に係る消防用サクションホースのストレーナ装置の使用状態を示す斜視図
【図４】この考案に係る消防用サクションホースのストレーナ装置を示す要部の縦断正面図
【考案を実施するための形態】
【００１９】
以下、この考案の実施の形態を図示例に基づいて説明する。
【００２０】
図示のように、ストレーナ装置１は、ベースプレート２と、このベースプレート２の上に固定したカバー部材３と、前記カバー部材３の内部に組み込んだ筒状のストレーナ４と、このストレーナ４の後端に設けたサクションホース接続部材５とで形成されている。
【００２１】
上記ベースプレート２は、フラットな長方形の金属板を用い、その四周縁を少し上向きに屈曲させた薄い皿状に形成され、このベースプレート２の上に固定するカバー部材３は、金属材料を用いて下面が開放して前後が閉鎖された縦断面下向きＵ字状のケース状に成形され、その長さ方向をベースプレート２の長さ方向に沿わせた状態で、両側の前後に下縁よりも下方に突出するよう設けた脚部６の下端をベースプレート２上にボルト、ナット７で固定し、この脚部６の長さによって前記ベースプレート２の上面とカバー部材３の下部の間に通水用の隙間８を形成している。
【００２２】
上記カバー部材３の下縁に、カバー部材から一体に下向へ突出する円軸に形成された多数の濾過軸９が下縁の全長にわたって所定の間隔で櫛歯状に設けられ、この濾過軸９は、カバー部材３の脚部６をベースプレート２に固定すると、その下端がベースプレート２に当接する長さを有し、濾過軸９間での濾過機能と、カバー部材３に上から加わる荷重を支持する補強材の役目を兼ねている。
【００２３】
上記ストレーナ４は、多数の通水孔１０が設けられた多孔円筒部１１の先端が多孔先端壁１２で閉鎖され、後端に螺筒１３を設けた合成樹脂の成形品であり、カバー部材３の内部に、ベースプレート２の上面と平行する状態でカバー部材３の前後方向に沿う配置で組込み、このストレーナ４の後端にサクションホース接続部材５がカバー部材３の後壁１４から外部後方に突出するように設けられている。
【００２４】
このストレーナ４は、カバー部材３の内部に組み込んだ状態で、このカバー部材３の内周に設けた複数のリブ１５によって多孔円筒部１１が保持され、図４のように、カバー部材３の内周面と多孔円筒部１１の外周面の間に通水用の隙間１６を形成している。
【００２５】
上記接続部材５は、サクションホース１７の端部金具１８を外嵌係合する円筒１９の先端に、ストレーナ４の後端に設けた雌ねじの螺筒１３に螺合する雄ねじのねじ筒２０を設け、円筒１９とねじ筒２０の境界部外周にフランジ２１が設けられ、前記円筒１９の外側に、サクションホース１７の端部金具１８との接続を解くための解除筒２２を軸方向に移動可能に外嵌した構造になっており、ねじ筒２０をカバー部材３の後壁１４に設けた円形孔２３に挿通し、ストレーナ４の後端螺筒１３に螺合することにより、前記螺筒１３の後端とフランジ２１によって後壁１４を挟むことで、カバー部材３に対してストレーナ４が固定されている。
【００２６】
なお、上記カバー部材３の外面で上部の位置に提げ手２４を設け、ストレーナ装置１の移動や持ち運びを容易にしている。
【００２７】
この考案のストレーナ装置は、上記のような構成であり、図２のように、消防用サクションホース１７の端部金具１８を接続部材５の円筒１９に外嵌係合し、消防用サクションホース１７とストレーナ４を接続した状態で、側溝や用水路ａを流れる水を水源として用いる場合は、図３と図４のように、ストレーナ装置１を側溝や用水路ａの水中に、ベースプレート２が下となり、消防用サクションホース１７が下流側となる状態で水没するように投入する。
【００２８】
上記の状態で消防用サクションホース１７による吸引を行うと、ベースプレート２とカバー部材３の下縁との間に形成された通水用の隙間８から流入した水は、ストレーナ４内に作用する吸引力で、通水孔１０を通ってストレーナ４から消防用サクションホース１７に流れることになる。
【００２９】
このとき、上記隙間８の部分に櫛歯状となって並ぶ濾過軸９間で大きな異物の流入を阻止し、また、ストレーナ４に設けた通水孔１０が小さな異物の流入を阻止することになる。
【００３０】
なお、側溝や用水路ａの傾斜がきつい場合や水流が激しい場合は、図３に示したように、土嚢２５をカバー部材３の上に載置し、ストレーナ装置１が下流側に流されることのないようにするものであり、この場合、水を含む土嚢２５の重量がカバー部材３に加わっても、このカバー部材３は四箇所の脚部６と各脚部６間に所定の間隔で並ぶ濾過軸９で支持されているので、軽量化を目的に比較的薄い板で形成されていても変形が生じるようなことがなく、しかも、ベースプレート２とカバー部材３の下縁との間に通水用の隙間８が形成されているので、カバー部材３が土嚢２５で覆われてもストレーナ４に向けて流れる水流を確保することができ、消防用水を確実に吸引できることになる。
【符号の説明】
【００３１】
１          ストレーナ装置
２          ベースプレート
３          カバー部材
４          ストレーナ
５          サクションホース接続部材
６          脚部
７          ボルト、ナット
８          隙間
９          濾過軸
１０        通水孔
１１        多孔円筒部
１２        多孔先端壁
１３        螺筒
１４        後壁
１５        リブ
１６        隙間
１７        サクションホース
１８        端部金具
１９        円筒
２０        ねじ筒
２１        フランジ
２２        解除筒
２３        円形孔
２４        提げ手
２５        土嚢
【図１】
0003154954.tif 000003
【図２】
0003154954.tif 000004
【図３】
0003154954.tif 000005
【図４】
0003154954.tif 000006